(57)【要約】【課題】５条植型式の苗植付装置において、縦送りクラッチと潤滑供給部とを適切に配置する。【解決手段】第１から第５の苗のせ部１１〜１５のうちの中央の第３の苗のせ部１３の第３の縦送り機構２３に動力を伝動及び遮断可能な第１の縦送りクラッチ４１が、正面視で第３の苗のせ部１３に対して左側又は右側に隣接する第２の苗のせ部１２の第２の縦送り機構２２と、第３の縦送り機構２３との間に設けられる。苗のせ台９における支持レールに接触する部分８６に潤滑材を供給可能な潤滑供給部９１が、正面視で、第３の苗のせ部１３に対して第１の縦送りクラッチ４１の反対側に隣接する第４の苗のせ部１４の第４の縦送り機構２４と、第３の縦送り機構２３との間に設けられる。【選択図】図４
2020171225.tif 000002
【特許請求の範囲】
【請求項１】
第１から第５の５つの苗のせ部が設けられて左右方向に横送り駆動される苗のせ台と、
第１から第５の前記苗のせ部の各々に設けられて前記苗のせ部の苗を下側に送る第１から第５の縦送り機構と、
前記苗のせ台の下部を左右方向に移動可能に支持する支持レールと、
第１から第５の前記苗のせ部の下部から苗を取り出して田面に植え付ける５組の植付アームとが備えられ、
第１から第５の前記苗のせ部のうちの中央の第３の前記苗のせ部の第３の前記縦送り機構に動力を伝動及び遮断可能な第１の縦送りクラッチが、正面視で、第３の前記苗のせ部に対して左側又は右側に隣接する第２の前記苗のせ部の第２の前記縦送り機構と、第３の前記縦送り機構との間に設けられ、
前記苗のせ台における前記支持レールに接触する部分に潤滑材を供給可能な潤滑供給部が、正面視で、第３の前記苗のせ部に対して第１の前記縦送りクラッチの反対側に隣接する第４の前記苗のせ部の第４の前記縦送り機構と、第３の前記縦送り機構との間に設けられている苗植付装置。
【請求項２】
第３の前記苗のせ部に対して左側又は右側の第１及び第２の前記苗のせ部の第１及び第２の前記縦送り機構に動力を伝動及び遮断可能な第２の縦送りクラッチが、正面視で、第１の前記縦送りクラッチと、第２の前記縦送り機構との間に設けられている請求項１に記載の苗植付装置。
【請求項３】
前記苗のせ台における前記支持レールに接触する部分に潤滑材を供給可能な別の潤滑供給部が、正面視で、第１の前記縦送り機構と、第２の前記縦送り機構との間に設けられている請求項２に記載の苗植付装置。
【請求項４】
第３の前記苗のせ部に対して第１の前記縦送りクラッチの反対側の第４及び第５の前記苗のせ部において、
第４の前記縦送り機構に動力を伝動及び遮断可能な第３の縦送りクラッチが、正面視で、第４の前記縦送り機構と、第５の前記苗のせ部の第５の前記縦送り機構との間に設けられ、
第５の前記縦送り機構に動力を伝動及び遮断可能な第４の縦送りクラッチが、正面視で、第３の前記縦送りクラッチと、第５の前記縦送り機構との間に設けられ、
第１から第４の前記縦送りクラッチに動力を伝達する駆動部が、正面視で、第３の前記縦送りクラッチと、第４の前記縦送りクラッチとの間に設けられている請求項２又は３に記載の苗植付装置。
【発明の詳細な説明】
【技術分野】
【０００１】
本発明は、乗用型田植機に装備される５条植型式の苗植付装置の構成に関する。
【背景技術】
【０００２】
５条植型式の苗植付装置としては、特許文献１に開示されたものがある。
特許文献１では、第１〜第５の苗のせ部を有する苗のせ台と、第１〜第５の苗のせ部の下部から苗を取り出して田面に植え付ける５組の植付アームとが設けられており、第１〜第５の苗のせ部の各々に第１〜第５の縦送り機構が設けられている。
【０００３】
特許文献１では、中央の第３の縦送り機構に動力を伝動及び遮断可能な第１の縦送りクラッチ、左側の第１及び第２の縦送り機構に動力を伝動及び遮断可能な第２の縦送りクラッチが設けられ、右側の第４の縦送り機構に動力を伝動及び遮断可能な第３の縦送りクラッチ、右側の第５の縦送り機構に動力を伝動及び遮断可能な第４の縦送りクラッチが設けられている。
【０００４】
第１の縦送りクラッチが、第３の縦送り機構と第４の縦送り機構との間に設けられ、第２の縦送りクラッチが、第２の縦送り機構と第３の縦送り機構との間に設けられている。これにより、中央の第３の縦送り機構に対して右側及び左側に、第１及び第２の縦送りクラッチが、配置された状態となっている。
【０００５】
第３の縦送りクラッチが、第４の縦送り機構と第５の縦送り機構との間に設けられて、第４の縦送りクラッチが、第３の縦送りクラッチと第５縦送り機構との間に設けられている。
【０００６】
以上の構成によって、第１の縦送りクラッチが操作されることにより、中央の第３の縦送り機構が作動及び停止操作される。第２の縦送りクラッチが操作されることにより、左側の第１及び第２の縦送り機構が同時に作動及び停止操作される。第３及び第４の縦送りクラッチが同時に操作されることにより、右側の第４及び第５の縦送り機構が同時に作動及び停止操作される。
【先行技術文献】
【特許文献】
【０００７】
【特許文献１】特開２０１８−１１７５６２号公報（図３参照）
【発明の概要】
【発明が解決しようとする課題】
【０００８】
苗植付装置では、苗のせ台の下部が支持レールに支持された状態で、苗のせ台が支持レールに沿って左右方向に横送り駆動されるので、苗のせ台における支持レールに接触する部分に、潤滑油やグリス等の潤滑材を定期的に供給する必要がある。
【０００９】
本発明は、５条植型式の苗植付装置において、苗のせ台における支持レールに接触する部分に潤滑材を供給可能な潤滑供給部を設ける場合、縦送りクラッチと潤滑供給部とを適切に配置することができるように構成することを目的としている。
【課題を解決するための手段】
【００１０】
本発明の苗植付装置は、第１から第５の５つの苗のせ部が設けられて左右方向に横送り駆動される苗のせ台と、第１から第５の前記苗のせ部の各々に設けられて前記苗のせ部の苗を下側に送る第１から第５の縦送り機構と、前記苗のせ台の下部を左右方向に移動可能に支持する支持レールと、第１から第５の前記苗のせ部の下部から苗を取り出して田面に植え付ける５組の植付アームとが備えられ、第１から第５の前記苗のせ部のうちの中央の第３の前記苗のせ部の第３の前記縦送り機構に動力を伝動及び遮断可能な第１の縦送りクラッチが、正面視で、第３の前記苗のせ部に対して左側又は右側に隣接する第２の前記苗のせ部の第２の前記縦送り機構と、第３の前記縦送り機構との間に設けられ、前記苗のせ台における前記支持レールに接触する部分に潤滑材を供給可能な潤滑供給部が、正面視で、第３の前記苗のせ部に対して第１の前記縦送りクラッチの反対側に隣接する第４の前記苗のせ部の第４の前記縦送り機構と、第３の前記縦送り機構との間に設けられている。
【００１１】
本発明によると、第１〜第５の苗のせ部及び第１〜第５の縦送り機構が設けられた苗のせ台において、中央の第３の縦送り機構に動力を伝動及び遮断可能な第１の縦送りクラッチが、正面視で、中央の第３の縦送り機構と隣接する第２の縦送り機構との間に配置されており、潤滑供給部が、正面視で、中央の第３の縦送り機構と隣接する第４の縦送り機構との間に配置される。
このことについて言い換えると、中央の第３の縦送り機構に対して右側及び左側に、第１の縦送りクラッチ及び潤滑供給部が配置される。
【００１２】
５条植型式の苗植付装置において、第３の縦送り機構（第３の苗のせ部）は、苗植付装置（苗のせ台）の左右中央部付近に配置されるので、第１の縦送りクラッチ及び潤滑供給部が、好ましい左右バランスの状態で苗植付装置に配置される。
潤滑供給部が苗のせ台の左右中央部付近に配置されることにより、潤滑供給部から供給される潤滑材が、支持レールの右部及び左部にバランス良く行き渡り易くなるので、苗のせ台における支持レールに接触する部分及び支持レールの潤滑という面で、好ましいものとなる。
【００１３】
本発明において、第３の前記苗のせ部に対して左側又は右側の第１及び第２の前記苗のせ部の第１及び第２の前記縦送り機構に動力を伝動及び遮断可能な第２の縦送りクラッチが、正面視で、第１の前記縦送りクラッチと、第２の前記縦送り機構との間に設けられていると好適である。
【００１４】
本発明によると、第１及び第２の縦送り機構に動力を伝動及び遮断可能な第２の縦送りクラッチを設ける場合、第１及び第２の縦送りクラッチが、正面視で、第２の縦送り機構と第３の縦送り機構との間に配置される。
これにより、第１及び第２の縦送りクラッチがコンパクトに配置されるのであり、第１及び第２の縦送りクラッチ、潤滑供給部が、好ましい左右バランスの状態で苗植付装置に配置される。
【００１５】
本発明において、前記苗のせ台における前記支持レールに接触する部分に潤滑材を供給可能な別の潤滑供給部が、正面視で、第１の前記縦送り機構と、第２の前記縦送り機構との間に設けられていると好適である。
【００１６】
本発明によると、潤滑供給部が、正面視で、中央の第３の縦送り機構と隣接する第４の縦送り機構との間に配置されることに加えて、別の潤滑供給部が、正面視で、第４の縦送り機構の反対側の第１の縦送り機構と第２の縦送り機構との間に配置される。
これにより、潤滑供給部及び別の潤滑供給部から供給される潤滑材が、支持レールの右部及び左部にバランス良く行き渡り易くなるので、苗のせ台における支持レールに接触する部分及び支持レールの潤滑という面で、好ましいものとなる。
【００１７】
本発明において、第３の前記苗のせ部に対して第１の前記縦送りクラッチの反対側の第４及び第５の前記苗のせ部において、第４の前記縦送り機構に動力を伝動及び遮断可能な第３の縦送りクラッチが、正面視で、第４の前記縦送り機構と、第５の前記苗のせ部の第５の前記縦送り機構との間に設けられ、第５の前記縦送り機構に動力を伝動及び遮断可能な第４の縦送りクラッチが、正面視で、第３の前記縦送りクラッチと、第５の前記縦送り機構との間に設けられ、第１から第４の前記縦送りクラッチに動力を伝達する駆動部が、正面視で、第３の前記縦送りクラッチと、第４の前記縦送りクラッチとの間に設けられていると好適である。
【００１８】
本発明によると、第４の縦送り機構に動力を伝動及び遮断可能な第３の縦送りクラッチと、第５の縦送り機構に動力を伝動及び遮断可能な第４の縦送りクラッチと、第１から第４の縦送りクラッチに動力を伝達する駆動部とを設ける場合に、第３及び第４の縦送りクラッチ、駆動部が、正面視で、第４の縦送り機構と第５の縦送り機構との間にコンパクトに配置される。
【００１９】
これにより、第１及び第２の縦送りクラッチが、正面視で、第２の縦送り機構と第３の縦送り機構との間にコンパクトに配置されることに加えて、第３及び第４の縦送りクラッチ、駆動部が、正面視で、第４の縦送り機構と第５の縦送り機構との間にコンパクトに配置されることによって、苗のせ台の全体の構造の簡素化の面で有利になる。
【図面の簡単な説明】
【００２０】
【図１】苗植付装置の左側面図である。
【図２】植付アーム等の配置を示す平面図である。
【図３】苗植付装置の正面図である。
【図４】縦送り機構、縦送りクラッチ及び潤滑供給部の付近の正面図である。
【図５】クラッチ操作機構と植付アームクラッチ及び縦送りクラッチとの連係状態を示す概略図である。
【図６】支持レールの付近の縦断左側面図である。
【図７】潤滑供給部の付近の縦断正面図である。
【図８】第１及び第２の縦送りクラッチの付近の正面図である。
【図９】第３及び第４の縦送りクラッチの付近の正面図である。
【発明を実施するための形態】
【００２１】
図１〜図９に５条植型式（第１植付条Ｌ１〜第５植付条Ｌ５）の苗植付装置が示されており、図１〜図９において、Ｆは前方向を示し、Ｂは後方向を示し、Ｕは上方向を示し、Ｄは下方向を示し、Ｒは右方向を示し、Ｌは左方向を示している。
【００２２】
（苗植付装置の全体構成）
乗用型田植機の機体（図示せず）の後部に、リンク機構（図示せず）が上下に揺動操作可能に支持されて後側に延出されており、図１〜図９に示す苗植付装置が、リンク機構の後部に支持されている。
【００２３】
図１，２，３，４に示すように、苗植付装置に、支持フレーム１、フィードケース２、植付伝動ケース３，４、回転ケース５、植付アーム６、センターフロート７、サイドフロート８、苗のせ台９、縦送り機構２１，２２，２３，２４，２５等が設けられている。
【００２４】
（支持フレーム、フィードケース及び植付伝動ケースに関する構成）
図１，２，３に示すように、支持フレーム１が左右方向に配置されており、フィードケース２が支持フレーム１の左右中央部に連結されている。
【００２５】
第３植付条Ｌ３に対応する１条用の１つの植付伝動ケース３が、支持フレーム１の左右中央部に連結されて後側に延出されている。１つの回転ケース５が、植付伝動ケース３の後部の右部に回転可能に支持されており、第３植付条Ｌ３に対応する２つの植付アーム６が、回転ケース５の両端部に支持されている。
【００２６】
第１植付条Ｌ１及び第２植付条Ｌ２に対応する２条用の植付伝動ケース４が、支持フレーム１の左部に連結されて後側に延出されている。２つの回転ケース５が、植付伝動ケース４の後部の右部及び左部に回転可能に支持されており、第１植付条Ｌ１及び第２植付条Ｌ２に対応する２つの植付アーム６が、回転ケース５の両端部に支持されている。
【００２７】
第４植付条Ｌ４及び第５植付条Ｌ５に対応する２条用の植付伝動ケース４が、支持フレーム１の右部に連結されて後側に延出されている。２つの回転ケース５が、植付伝動ケース４の後部の右部及び左部に回転可能に支持されており、第４植付条Ｌ４及び第５植付条Ｌ５に対応する２つの植付アーム６が、回転ケース５の両端部に支持されている。
【００２８】
（苗植付装置の伝動系の構成）
図２及び図３に示すように、乗用型田植機からの動力が、伝動軸（図示せず）を介してフィードケース２の伝動機構３４に伝達され、伝動機構３４の動力が、後述の（苗のせ台の横送りの構成）に記載の横送り軸２７及び、後述の（縦送り機構の駆動の構成）に記載の縦送り軸５５に伝達される。
【００２９】
伝動機構３４の動力が、フィードケース２と植付伝動ケース３，４とに亘って設けられた伝動軸３５、植付伝動ケース３，４の内部に設けられたトルクリミッター３６、伝動チェーン３７、第１〜第３の植付アームクラッチ３１〜３３を介して、回転ケース５に伝達される。
【００３０】
第１の植付アームクラッチ３１は、第１植付条Ｌ１及び第２植付条Ｌ２に対応する回転ケース５及び植付アーム６に動力を伝動及び遮断可能である。
第２の植付アームクラッチ３２は、第３植付条Ｌ３に対応する回転ケース５及び植付アーム６に動力を伝動及び遮断可能である。
第３の植付アームクラッチ３３は、第４植付条Ｌ４及び第５植付条Ｌ５に対応する回転ケース５及び植付アーム６に動力を伝動及び遮断可能である。
【００３１】
（センターフロート及びサイドフロートの構成）
図１，２，３に示すように、１つのセンターフロート７が、植付伝動ケース３の下側に配置されており、１つの作溝器１０がセンターフロート７に取り付けられている。２つのサイドフロート８が、植付伝動ケース４の下側に配置されており、２つの作溝器１０がサイドフロート８に取り付けられている。
【００３２】
乗用型田植機の機体（図示せず）の後部に、肥料を貯留するホッパー（図示せず）、繰り出し部（図示せず）及びブロア（図示せず）等を有する施肥装置（図示せず）が設けられている。繰り出し部から延出された供給パイプ１６が、作溝器１０に接続されている。
【００３３】
施肥装置において、ホッパーから肥料が繰り出し部により所定量ずつ繰り出されて、ブロアの送風により肥料が供給パイプ１６を通って作溝器１０に供給される。作溝器１０により田面に溝が形成されながら、作溝器１０から田面の溝に肥料が供給される。
【００３４】
（苗のせ台の構成）
図１，２，４に示すように、苗のせ台９において、第１の苗のせ部１１、第２の苗のせ部１２、第３の苗のせ部１３、第４の苗のせ部１４、第５の苗のせ部１５の５つの苗のせ部１１〜１５が設けられている。第１〜第５の苗のせ部１１〜１５の間、第１の苗のせ部１１の左端部、及び、第５の苗のせ部１５の右端部に、縦壁状の仕切り部４８が設けられている。
【００３５】
第３の苗のせ部１３が、苗のせ台９の中央に配置される。第３の苗のせ部１３の左側に隣接して第２の苗のせ部１２が配置され、第２の苗のせ部１２の左側に隣接して第１の苗のせ部１１が配置される。第３の苗のせ部１３の右側に隣接して第４の苗のせ部１４が配置され、第４の苗のせ部１４の右側に隣接して第５の苗のせ部１５が配置される。
【００３６】
第１の苗のせ部１１が第１植付条Ｌ１に対応しており、第２の苗のせ部１２が第２植付条Ｌ２に対応している。第３の苗のせ部１３が第３植付条Ｌ３に対応しており、第４の苗のせ部１４が第４植付条Ｌ４に対応しており、第５の苗のせ部１５が第５植付条Ｌ５に対応している。
【００３７】
（苗のせ台の横送りの構成）
図１及び図３に示すように、支持レール１７が、植付伝動ケース３，４の上部に左右方向に支持されている。苗のせ台９の下部が、左右方向に移動可能に支持レール１７に支持されており、苗のせ台９が、側面視で植付伝動ケース３，４から斜め前側の上側に延出されている。
【００３８】
右及び左の支持フレーム１８が、支持フレーム１の右部及び左部に連結されて上側に延出されており、支持フレーム１８の上部に亘って支持フレーム１９が連結されている。支持フレーム６０が、支持フレーム１８の上下中間部に亘って左右方向に連結されており、供給パイプ１６が支持フレーム６０に連結されて支持されている。
支持レール２０が、苗のせ台９の前部の上部に左右方向に連結されており、支持フレーム１９の上部に支持されたローラー２６が、支持レール２０に挿入されている。
【００３９】
苗のせ台９の下部が、植付伝動ケース３，４及び支持レール１７により左右方向に移動可能に支持され、苗のせ台９の上部（支持レール２０）が、支持フレーム１８，１９及びローラー２６により左右方向に移動可能に支持されている。
【００４０】
図２び図３に示すように、横送り軸２７が、フィードケース２から左側に延出されており、横送り軸２７の端部が、支持フレーム１の左部に連結された支持部材２８に回転可能に支持されている。横送り軸２７の回転に伴って横送り駆動される送り部材２９が、横送り軸２７に取り付けられており、送り部材２９が苗のせ台９に接続されている。
【００４１】
ゴム製のジャバラ形状で伸縮自在なカバー３０が、フィードケース２と送り部材２９、支持部材２８と送り部材２９とに亘って接続されており、カバー３０により横送り軸２７が覆われている。
【００４２】
前述の（苗植付装置の伝動系の構成）に記載のように、伝動機構３４の動力により横送り軸２７が回転駆動される。横送り軸２７が回転駆動されるのに伴って、送り部材２９が横送り軸２７に沿って横送り駆動されて、送り部材２９により苗のせ台９が左右方向に所定のストロークで横送り駆動される。
【００４３】
これにより、苗のせ台９が左右方向に横送り駆動されながら、回転ケース５が回転駆動されて、第１植付条Ｌ１〜第５植付条Ｌ５に対応する植付アーム６が、第１〜第５の苗のせ部１１〜１５の下部から交互に苗を取り出して田面に植え付ける。
【００４４】
（縦送り機構の構成）
図１及び図４に示すように、苗のせ台９において、第１の縦送り機構２１が第１の苗のせ部１１に設けられ、第２の縦送り機構２２が第２の苗のせ部１２に設けられ、第３の縦送り機構２３が第３の苗のせ部１３に設けられ、第４の縦送り機構２４が第４の苗のせ部１４に設けられ、第５の縦送り機構２５が及び第５の苗のせ部１５に設けられている。
【００４５】
第１〜第５の縦送り機構２１〜２５は、下側に配置された幅広の円筒状の駆動輪３８、上側に配置された幅広の円筒状の従動輪３９、駆動輪３８及び従動輪３９に亘って取り付けられた幅広の送りベルト４０等を有している。
【００４６】
図４，８，９に示すように、チャンネル状に形成された支持部材４５が、第２及び第３の苗のせ部１２，１３の間の仕切り部４８の前部の下部に連結されており、チャンネル状に形成された支持部材４６が、第４及び第５の苗のせ部１４，１５の間の仕切り部４８の前部の下部に連結されている。支持部材４７が、第１の苗のせ部１１の左端部の仕切り部４８の前部の下部、及び、第５の苗のせ部１５の右端部の仕切り部４８の前部の下部に連結されている。
【００４７】
駆動軸４９が、支持部材４５，４６，４７に亘って回転可能に支持されており、駆動輪３８が駆動軸４９に相対回転可能に取り付けられている。従動軸５０が、苗のせ台９の前部の上下中間部に左右方向に支持されており、従動輪３９が従動軸５０に相対回転可能に取り付けられている。従動軸５０を上側に付勢するバネ５４が設けられており、バネ５４により送りベルト４０の張力が維持されている。
【００４８】
（縦送り機構の駆動の構成）
図２及び図３に示すように、縦送り軸５５が、フィードケース２から右側に延出されており、縦送り軸５５の端部が、支持フレーム１の右部に連結された支持部材５６に回転可能に支持されて、右及び左の操作アーム５５ａが縦送り軸５５に連結されている。
【００４９】
前述の（苗植付装置の伝動系の構成）に記載のように、伝動機構３４の動力により縦送り軸５５が回転駆動される。縦送り軸５５の右及び左の操作アーム５５ａの間隔が、前述の（苗のせ台の横送りの構成）に記載の苗のせ台９が左右方向に横送り駆動される所定のストロークに相当する。
【００５０】
図４及び図９に示すように、駆動軸４９における支持部材４６の部分に、駆動部５７が取り付けられており、駆動部５７にワンウェイクラッチ（図示せず）が内装されている。駆動部５７から駆動アーム５７ａが延出され、戻しバネ５８が駆動部５７に取り付けられている。駆動部５７の駆動アーム５７ａが、図２及び図３に示す縦送り軸５５の右及び左の操作アーム５５ａの間に配置されている。
【００５１】
前述の（苗のせ台の横送りの構成）に記載のように、苗のせ台９が所定のストロークで左右方向に横送り駆動されて所定のストロークの右端部に達すると、駆動部５７の駆動アーム５７ａが、縦送り軸５５の右の操作アーム５５ａの位置に達して、縦送り軸５５の右の操作アーム５５ａにより所定角度だけ回転駆動される。
【００５２】
駆動部５７と一体で駆動軸４９が所定角度だけ回転駆動され、駆動部５７の動力が、駆動軸４９から、後述の（第１及び第２の縦送りクラッチの構成）（第３及び第４の縦送りクラッチの構成）に記載の第１〜第４の縦送りクラッチ４１〜４４に伝達される。駆動部５７の動力が、第１〜第４の縦送りクラッチ４１〜４４を介して駆動輪３８に伝達され、駆動輪３８が駆動軸４９と一体で回転駆動されて、送りベルト４０が回転駆動される。
【００５３】
以上のようにして、第１〜第５の縦送り機構２１〜２５により、第１〜第５の苗のせ部１１〜１５の苗が下側に送られる。駆動部５７の駆動アーム５７ａは、縦送り軸５５の右の操作アーム５５ａから離れると、戻しバネ５８により元の位置に戻し操作される。
【００５４】
次に苗のせ台９が所定のストロークの左端部に達すると、駆動部５７の駆動アーム５７ａが、縦送り軸５５の左の操作アーム５５ａの位置に達して、縦送り軸５５の左の操作アーム５５ａにより所定角度だけ回転駆動されるのであり、前述と同様にして第１〜第５の縦送り機構２１〜２５により、第１〜第５の苗のせ部１１〜１５の苗が下側に送られる。
【００５５】
（第１及び第２の縦送りクラッチの構成）
図４及び図８に示すように、中央の第３の苗のせ部１３の第３の縦送り機構２３に動力を伝動及び遮断可能な第１の縦送りクラッチ４１が、正面視で、第３の苗のせ部１３に対して左側に隣接する第２の苗のせ部１２の第２の縦送り機構２２と、第３の縦送り機構２３との間に設けられており、支持部材４５と第３の縦送り機構２３との間に設けられている。
【００５６】
第１及び第２の縦送り機構２１，２２の駆動輪３８に亘って、円筒状の連結部材５９が連結されており、第１及び第２の縦送り機構２１，２２の駆動輪３８は一体で回転可能である。
【００５７】
第３の苗のせ部１３に対して左側の第１及び第２の苗のせ部１１，１２の第１及び第２の縦送り機構２１，２２に動力を伝動及び遮断可能な第２の縦送りクラッチ４２が、正面視で、第１の縦送りクラッチ４１と第２の縦送り機構２２との間に設けられており、支持部材４５と第２の縦送り機構２２との間に設けられている。
【００５８】
第１及び第２の縦送りクラッチ４１，４２において、駆動軸４９と一体で回転可能及びスライド可能に駆動軸４９に取り付けられた咬合部６４と、咬合部６４を駆動輪３８との咬合側に付勢するバネ６５とが設けられている。
【００５９】
平面視でチャンネル状に折り曲げられた支点軸６６が支持部材４５に連結されている。支点軸６６の前向きの右及び左の端部６６ａに、クラッチアーム６７が前後方向の軸芯Ｐ１周りに揺動可能に支持されており、クラッチアーム６７の下部が咬合部６４に係合している。
【００６０】
第１の縦送りクラッチ４１において、バネ６５の付勢力により咬合部６４が駆動輪３８に咬合することによって、駆動軸４９の動力が第３の縦送り機構２３（駆動輪３８）に伝達される（第１の縦送りクラッチ４１の伝動状態）。
【００６１】
第１の縦送りクラッチ４１において、クラッチアーム６７により、バネ６５に抗して咬合部６４が駆動輪３８から離し操作されると、駆動軸４９から第３の縦送り機構２３（駆動輪３８）への動力が遮断されて、第３の縦送り機構２３（駆動輪３８）が停止する（第１の縦送りクラッチ４１の遮断状態）。
【００６２】
第２の縦送りクラッチ４２において、バネ６５の付勢力により咬合部６４が駆動輪３８に咬合することによって、駆動軸４９の動力が第１及び第２の縦送り機構２１，２２（駆動輪３８）に伝達される（第２の縦送りクラッチ４２の伝動状態）。
【００６３】
第２の縦送りクラッチ４２において、クラッチアーム６７により、バネ６５に抗して咬合部６４が駆動輪３８から離し操作されると、駆動軸４９から第１及び第２の縦送り機構２１，２２（駆動輪３８）への動力が遮断されて、第１及び第２の縦送り機構２１，２２（駆動輪３８）が停止する（第２の縦送りクラッチ４２の遮断状態）。
【００６４】
（第３及び第４の縦送りクラッチの構成）
図４及び図９に示すように、第３の苗のせ部１３に対して第１の縦送りクラッチ４１の反対側の第４及び第５の苗のせ部１４，１５において、第４の縦送り機構２４に動力を伝動及び遮断可能な第３の縦送りクラッチ４３が、正面視で、第４の縦送り機構２４と第５の苗のせ部１５の第５の縦送り機構２５との間に設けられており、支持部材４６と第４の縦送り機構２４との間に設けられている。
【００６５】
第５の縦送り機構２５に動力を伝動及び遮断可能な第４の縦送りクラッチ４４が、正面視で、第３の縦送りクラッチ４３と第５の縦送り機構２５との間に設けられており、支持部材４６と第５の縦送り機構２５との間に設けられている。
前述の（縦送り機構の駆動の構成）に記載の駆動部５７及び戻しバネ５８が、正面視で第３の縦送りクラッチ４３と第４の縦送りクラッチ４４との間に設けられている。
【００６６】
第３及び第４の縦送りクラッチ４３，４４において、駆動軸４９と一体で回転可能及びスライド可能に駆動軸４９に取り付けられた咬合部６４と、咬合部６４を駆動輪３８との咬合側に付勢するバネ６５とが設けられている。
【００６７】
平面視でチャンネル状に折り曲げられた支点軸６８が支持部材４６に連結されている。支点軸６８の前向きの右及び左の端部６８ａに、クラッチアーム６７が前後方向の軸芯Ｐ２周りに揺動可能に支持されており、クラッチアーム６７の下部が咬合部６４に係合している。
【００６８】
第３及び第４の縦送りクラッチ４３，４４において、バネ６５の付勢力により咬合部６４が駆動輪３８に咬合することによって、駆動軸４９の動力が第４及び第５の縦送り機構２４，２５（駆動輪３８）に伝達される（第３及び第４の縦送りクラッチ４３，４４の伝動状態）。
【００６９】
第３及び第４の縦送りクラッチ４３，４４において、クラッチアーム６７により、バネ６５に抗して咬合部６４が駆動輪３８から離し操作されると、駆動軸４９から第４及び第５の縦送り機構２４，２５（駆動輪３８）への動力が遮断されて、第４及び第５の縦送り機構２４，２５（駆動輪３８）が停止する（第３及び第４の縦送りクラッチ４３，４４の遮断状態）。
【００７０】
（第１〜第３の植付アームクラッチ及び第１〜第４の縦送りクラッチの操作系の構成）
図３及び図５に示すように、支持フレーム１９に連結された支持板６９に、制御装置７０が取り付けられている。人為的に操作可能な第１のクラッチスイッチ５１、第２のクラッチスイッチ５２、第３のクラッチスイッチ５３が、乗用型田植機の機体に設けられており、第１〜第３のクラッチスイッチ５１〜５３の操作信号が制御装置７０に入力される。
【００７１】
クラッチ操作機構７４が苗のせ台９の前部の上部に取り付けられている。クラッチ操作機構７４に、電動モータ７５、電動モータ７５により回転駆動される駆動軸７６、駆動軸７６に一体で回転可能に連結された第１カム６１、第２カム６２及び第３カム６３、第１カム６１により揺動操作される第１アーム７１、第２カム６２により揺動操作される第２アーム７２、第３カム６３により揺動操作される第３アーム７３等が設けられている。
【００７２】
図５，８，９に示すように、第１アーム７１と第１の植付アームクラッチ３１とに亘ってワイヤ７７が接続され、第１アーム７１と第２の縦送りクラッチ４２のクラッチアーム６７とに亘ってワイヤ７８が接続されている。
【００７３】
第２アーム７２と第２の植付アームクラッチ３２とに亘ってワイヤ７９が接続され、第２アーム７２と第１の縦送りクラッチ４１のクラッチアーム６７とに亘ってワイヤ８０が接続されている。
【００７４】
第３アーム７３と第３の植付アームクラッチ３３とに亘ってワイヤ８１が接続され、第３アーム７３と第３及び第４の縦送りクラッチ４３，４４のクラッチアーム６７とに亘ってワイヤ８２が接続されている。
【００７５】
図３及び図５に示すように、棒材が円状に曲げられて構成されたワイヤ支持部８３，８４が、支持板６９及び支持フレーム６０に取り付けられており、ワイヤ支持部８３，８４が、苗植付装置の左右中央部から右側及び左側に変位した位置に配置されている。ワイヤ７７〜８０がワイヤ支持部８３に通されて支持されており、ワイヤ８１，８２がワイヤ支持部８４に通されて支持されている。
【００７６】
（第１〜第３の植付アームクラッチ及び第１〜第４の縦送りクラッチの操作）
図４及び図５に示すように、作業者が第１〜第３のクラッチスイッチ５１〜５３を押し操作することにより、以下の説明のように、制御装置７０により電動モータ７５が作動操作されて、第１〜第３の植付アームクラッチ３１〜３３、第１〜第４の縦送りクラッチ４１〜４４が操作される。
【００７７】
第１〜第３の植付アームクラッチ３１〜３３が伝動状態に操作され、第１〜第４の縦送りクラッチ４１〜４４が伝動状態に操作された状態において、第１のクラッチスイッチ５１が押し操作されると、電動モータ７５により、駆動軸７６が所定角度だけ回転駆動される。
【００７８】
これにより、第１カム６１により第１アーム７１が操作され、ワイヤ７７，７８が第１アーム７１側に引き操作されて、第１の植付アームクラッチ３１及び第２の縦送りクラッチ４２が遮断状態に操作されて、第１植付条Ｌ１及び第２植付条Ｌ２に対応する植付アーム６が停止し、第１及び第２の縦送り機構２１，２２が停止する。
【００７９】
次に、第２のクラッチスイッチ５２が押し操作されると、電動モータ７５により、駆動軸７６がさらに所定角度だけ回転駆動される。
これにより、第１の植付アームクラッチ３１及び第２の縦送りクラッチ４２が遮断状態に維持されながら、第２カム６２により第２アーム７２が操作され、ワイヤ７９，８０が第２アーム７２側に引き操作されて、第２の植付アームクラッチ３２及び第１の縦送りクラッチ４１が遮断状態に操作されて、第３植付条Ｌ３に対応する植付アーム６が停止し、第３の縦送り機構２３が停止する。
【００８０】
次に、第３のクラッチスイッチ５３が押し操作されると、電動モータ７５により、駆動軸７６がさらに所定角度だけ回転駆動される。
これにより、第１及び第２の植付アームクラッチ３１，３２、第１及び第２の縦送りクラッチ４１，４２が遮断状態に維持されながら、第３カム６３により第３アーム７３が操作され、ワイヤ８１，８２が第３アーム７３側に引き操作されて、第３の植付アームクラッチ３３、第３及び第４の縦送りクラッチ４３，４４が遮断状態に操作されて、第４植付条Ｌ４及び第５植付条Ｌ５に対応する植付アーム６が停止し、第４及び第５の縦送り機構２４，２５が停止する。
【００８１】
第１〜第３の植付アームクラッチ３１〜３３が伝動状態に操作され、第１〜第４の縦送りクラッチ４１〜４４が伝動状態に操作された状態において、第３のクラッチスイッチ５３が押し操作され、第２のクラッチスイッチ５２が押し操作され、第１のクラッチスイッチ５１が押し操作されると、電動モータ７５により、駆動軸７６が逆方向に所定角度ずつ回転駆動される。
【００８２】
これにより、第３のクラッチスイッチ５３が押し操作されると、第３の植付アームクラッチ３３、第３及び第４の縦送りクラッチ４３，４４が遮断状態に操作される。
次に、第２のクラッチスイッチ５２が押し操作されると、第３の植付アームクラッチ３３、第３及び第４の縦送りクラッチ４３，４４が遮断状態に維持されながら、第２の植付アームクラッチ３２及び第１の縦送りクラッチ４１が遮断状態に操作される。
【００８３】
次に、第１のクラッチスイッチ５１が押し操作されると、第２及び第３の植付アームクラッチ３２，３３、第１、第３及び第４の縦送りクラッチ４１，４３，４４が遮断状態に維持されながら、第１の植付アームクラッチ３１及び第２の縦送りクラッチ４２が遮断状態に操作される。
【００８４】
（苗のせ台の下部を支持する支持レールの付近の構成）
図４，６，８，９に示すように、側面視でアングル形状の案内レール８５が、苗のせ台９の下部の前部に、第１〜第５の苗のせ部１１〜１５に亘って連結されている。支持部材４５，４６，４７の下部４５ａ，４６ａ，４７ａが前向きに折り曲げられており、支持部材４５，４６，４７の下部４５ａ，４６ａ，４７ａ及び案内レール８５に、合成樹脂製の案内部材８６（苗のせ台９における支持レール１７に接触する部分に相当）が取り付けられている。
【００８５】
金属製の摺動板８８が、支持レール１７の上部の全幅に亘って連結されている。案内部材８６が支持レール１７（摺動板８８）に乗ることにより、苗のせ台９の下部が支持レール１７に支持されるのであり、案内部材８６が支持レール１７（摺動板８８）に沿って摺動することにより、苗のせ台９の下部が支持レール１７に沿って左右方向に移動する。
【００８６】
断面がチャンネル形状の規制部材８７が、支持部材４６，４７の下部４６ａ，４７ａ及び案内レール８５に取り付けらおり、規制部材８７が支持レール１７に係合している。苗のせ台９（案内部材８６）の支持レール１７（摺動板８８）からの浮き上がりが、規制部材８７によって防止される。
【００８７】
図４，７，８，９に示すように、断面がチャンネル形状の長い保持部材８９が、案内部材８６の間に亘って取り付けられており、保持部材８９は案内部材８６と一体で支持レール１７（摺動板８８）に沿って摺動する。
【００８８】
保持部材８９が下向き（保持部材８９の開放側の部分が支持レール１７（摺動板８８）に向く下向き）に配置されており、支持レール１７（摺動板８８）、２つの案内部材８６の端部及び保持部材８９によって、細長い空間Ａが形成されている。
【００８９】
（潤滑供給部の構成）
図４及び図７に示すように、空間Ａに潤滑油やグリス等の潤滑材を供給可能な潤滑供給部９１が、正面視で、第３の苗のせ部１３に対して第１の縦送りクラッチ４１の反対側に隣接する第４の苗のせ部１４の第４の縦送り機構２４と、第３の縦送り機構２３との間に設けられており、第３及び第４の苗のせ部１３，１４の間の仕切り部４８の下部に設けられている。
【００９０】
別の空間Ａに潤滑材を供給可能な別の潤滑供給部９２が、正面視で、第１の縦送り機構２１と第２の縦送り機構２２との間に設けられており、第１及び第２の苗のせ部１１，１２の間の仕切り部４８の下部に設けられている。
【００９１】
潤滑供給部９１，９２は、以下の説明のように構成されている。
図６及び図７に示すように、短い接続パイプ９３が、保持部材８９に取り付けられて、案内レール８５の開口部を通って上側に延出されている。板バネ９０が案内レール８５と保持部材８９との間に配置されて、接続パイプ９３が板バネ９０を貫通しており、板バネ９０により保持部材８９が支持レール１７（摺動板８８）に押圧されている。
【００９２】
供給パイプ９４が、接続パイプ９３に接続されて上側に延出されている。平板状の取付部９５ａが取り付けられた供給パイプ９５が、供給パイプ９４の上部に接続されて、供給パイプ９５の取付部９５ａが苗のせ台９にボルト連結されている。供給パイプ９５が、仕切り部４８の内部を通って苗のせ台９の後側に出ており、供給パイプ９５における苗のせ台９から後側に出た部分に、グリスニップル９６が取り付けられている。
【００９３】
以上のように、潤滑供給部９１，９２は、接続パイプ９３、供給パイプ９４，９５及びグリスニップル９６等を有している。
作業者は、潤滑材を、グリスニップル９６から、供給パイプ９４，９５及び接続パイプ９３を通して、空間Ａに供給するのであり、空間Ａを潤滑材で満たす。
【００９４】
これにより、空間Ａの潤滑材が、空間Ａに隣接する案内部材８６と支持レール１７（摺動板８８）との間に入り込む。苗のせ台９が支持レール１７（摺動板８８）に沿って横送り駆動されることにより、空間Ａの潤滑材が支持レール１７（摺動板８８）に塗布される状態となり、潤滑材が塗布された支持レール１７（摺動板８８）を、案内部材８６が摺動する。
以上のようにして、潤滑供給部９１，９２により、苗のせ台９における支持レール１７（摺動板８８）に接触する部分（案内部材８６）に潤滑材を供給することができる。
【００９５】
（発明の実施の別形態）
図４では、苗のせ台９において、左から順番に第１〜第５の苗のせ部１１〜１５が配置されているのに対して、苗のせ台９において、右から順番に第１〜第５の苗のせ部１１〜１５が配置されてもよい。
この構成によると、図４に示す第１〜第４の縦送りクラッチ４１〜４４の配置、及び潤滑供給部９１，９２の配置が、左右方向で逆になる。
【産業上の利用可能性】
【００９６】
本発明は、５条植型式の苗植付装置に適用できる。
【符号の説明】
【００９７】
６    植付アーム
９    苗のせ台
１１  第１の苗のせ部
１２  第２の苗のせ部
１３  第３の苗のせ部
１４  第４の苗のせ部
１５  第５の苗のせ部
１７  支持レール
２１  第１の縦送り機構
２２  第２の縦送り機構
２３  第３の縦送り機構
２４  第４の縦送り機構
２５  第５の縦送り機構
４１  第１の縦送りクラッチ
４２  第２の縦送りクラッチ
４３  第３の縦送りクラッチ
４４  第４の縦送りクラッチ
５７  駆動部
８６  案内部材（苗のせ台における支持レールに接触する部分）
９１  潤滑供給部
９２  別の潤滑供給部
【図１】
2020171225.tif 000003
【図２】
2020171225.tif 000004
【図３】
2020171225.tif 000005
【図４】
2020171225.tif 000006
【図５】
2020171225.tif 000007
【図６】
2020171225.tif 000008
【図７】
2020171225.tif 000009
【図８】
2020171225.tif 000010
【図９】
2020171225.tif 000011